(57)【要約】【課題】注文した数量や、日付等を控として保存することができる複写機能を有する控付き往復葉書を提供することを目的とする。【解決手段】前記課題の目的を達成するために、葉書と同一の高さを有し、葉書と略同一幅を有する２枚のシートの間に葉書の２倍の幅を有する１枚のシートを、１辺を揃えて積層した往復葉書であって、前記往復葉書は、１枚目のシート基紙，剥離剤層，剥離可能で再接着可能な接着剤層，顕色剤層，２枚目のシート基紙，剥離剤層，剥離可能で再接着不可能な接着剤層，３枚目のシート基紙，発色剤層の順に積層した往復葉書を提供する。【選択図】  図１
2005254585.tif 000002
【特許請求の範囲】
【請求項１】
葉書と同一の高さを有し、葉書と略同一幅を有する２枚のシートの間に葉書の２倍の幅を有する１枚のシートを、１辺を揃えて積層した往復葉書であって、
前記往復葉書は、1枚目のシート基紙，剥離剤層，剥離可能で再接着可能な接着剤層，顕色剤層，２枚目のシート基紙，剥離剤層，剥離可能で再接着不可能な接着剤層，３枚目のシート基紙，発色剤層の順に積層したことを特徴とする往復葉書。
【請求項２】
請求項１に記載の往復葉書において、1枚目のシートを普通紙，2枚目のシートをノーカーボンのボトム紙，３枚目のシートをノーカーボンのトップ紙としたことを特徴とする往復葉書。
【請求項３】
請求項１または２に記載の往復葉書を使用する往復葉書の使用方法であって、
１枚目のシートの表出面に往信のための宛先を表示し、２枚目のシートの１枚目側の表出面を複写によって発色する通信欄とし、２枚目のシートの３枚目側の表出面に返信のための宛先を表示し、１枚目のシートと、３枚目のシートを剥し、剥した３枚目のシートの発色剤面と、前記２枚目のシートの通信欄が重なるように重ね合わせ、３枚目のシートの一端を１枚目のシートの下部に形成された接着剤の端で固定し、必要事項を記入し、記入の後、３枚目のシートを２枚目のシートから剥して控として保存し、２枚目のシートの中央部で通信欄が内側になるように折り畳み、１枚目のシートの下部に形成された剥離可能で再接着可能な接着剤層によって通信欄を隠蔽して返信用の葉書とすることを特徴とする往復葉書の使用方法。
【請求項４】
請求項３に記載の往復葉書の使用方法において、往信のための宛先はプリンタによって表示し、返信のための宛先は印刷によって表示することを特徴とする往復葉書の使用方法。
【発明の詳細な説明】
【技術分野】
【０００１】
本発明は、複写控付き往復葉書に関する。
【背景技術】
【０００２】
従来、例えば「口座振替依頼申込書」や「請求書」等の送付には封書が使用され、これらに対しては、同封されてきた封書が使用され返信されていた。
また、携帯通信端末などによって処理される場合は、情報量の関係で１回の通信では処理できず、複数回に分けて送受信しなければならなかった。そのため、送信する側にとっても、受信する側にとっても不便で費用が掛った。
封書は、葉書に比べ郵送費が高いために許容される重さの上限まで宣伝物などの内容物を詰め込む傾向があり、内容物と請求書の組合せなど、煩雑な業務が新たに生ずる結果となった。
また、同封する宣伝物の内容に季節的要素がある場合に、請求書送付の時期とのタイミングを考慮しなければならないなど問題が派生してきた。
【０００３】
そこで、前述のような同封物のタイミングを考慮する必要がなく、しかも送付コストを低く抑えることができる往復葉書を使用する方法が提案されている（例えば、特許文献１参照）。
【０００４】
【特許文献１】特願２００３−３４２２５５号公報
【発明の開示】
【発明が解決しようとする課題】
【０００５】
しかながら、往復葉書の通信欄に、長く記憶していることが困難な情報、例えば、注文数量等を記入しなければならない場合がある。
このような場合は、注文した数量や、日付等を手帳やメモ帳などに記録して忘れないようにするのであるが、手元の紙片などに走り書きして控として保管するために、時間が経つとメモがどの案件に対するメモであったか判らなくなったり、必要なときに見つからなくて困るなどの問題が発生していた。
そこで本発明は、注文した数量や、日付等を控として保存することができる複写機能を有する控付き往復葉書を提供するものである。
【課題を解決するための手段】
【０００６】
前記課題の目的を達成するために、本発明の往復葉書の請求項１に記載の発明は、葉書と同一の高さを有し、葉書と略同一幅を有する２枚のシートの間に葉書の２倍の幅を有する１枚のシートを、１辺を揃えて積層した往復葉書であって、前記往復葉書は、１枚目のシート基紙，剥離剤層，剥離可能で再接着可能な接着剤層，顕色剤層，２枚目のシート基紙，剥離剤層，剥離可能で再接着不可能な接着剤層，３枚目のシート基紙，発色剤層の順に積層したことを特徴とするものである。
【０００７】
また、請求項２に記載の発明は、請求項１に記載の発明において、１枚目のシートを普通紙，２枚目のシートをノーカーボンのボトム紙，３枚目のシートをノーカーボンのトップ紙としたことを特徴とするものである。
【０００８】
また、請求項３に記載の発明の往復葉書の使用方法は、請求項１または２に記載の往復葉書を使用する往復葉書の使用方法であって、１枚目のシートの表出面に往信のための宛先を表示し、２枚目のシートの１枚目側の表出面を複写によって発色する通信欄とし、２枚目のシートの３枚目側の表出面に返信のための宛先を表示し、１枚目のシートと、３枚目のシートを剥し、剥した３枚目のシートの発色剤面と、前記２枚目のシートの通信欄が重なるように重ね合わせ、３枚目のシートの一端を１枚目のシートの下部に形成された接着剤の端で固定し、必要事項を記入し、記入の後、３枚目のシートを２枚目のシートから剥して控として保存し、２枚目のシートの中央部で通信欄が内側になるように折り畳み、１枚目のシートの下部に形成された剥離可能で再接着可能な接着剤層によって通信欄を隠蔽して返信用の葉書とすることを特徴とするものである。
【０００９】
また、請求項４に記載の発明は、請求項３に記載の発明において、往信のための宛先はプリンタによって表示し、返信のための宛先は印刷によって表示することを特徴とするものである。
【発明の効果】
【００１０】
１）請求項１に記載のように、葉書と同一の高さを有し、葉書と略同一幅を有する２枚のシートの間に葉書の２倍の幅を有する１枚のシートを、１辺を揃えて積層した往復葉書であって、前記往復葉書は、1枚目のシート基紙，剥離剤層，剥離可能で再接着可能な接着剤層，顕色剤層，２枚目のシート基紙，剥離剤層，剥離可能で再接着不可能な接着剤層，３枚目のシート基紙，発色剤層の順に積層したことによって、安価に送受信可能で、セキュリティ性が高い往復葉書を提供することができる。
また、控用紙である３枚目のシートに粘着性が残っていないために普通紙と同じ扱いで保管することができる。
２）また、請求項２に記載ののように、請求項１に記載の発明において、1枚目のシートを普通紙，2枚目のシートをノーカーボンのボトム紙，３枚目のシートをノーカーボンのトップ紙としたことによって、発色剤形成部と顕色剤形成部が接触しない構造となり、送信時に通信欄が発色して汚れることがない。
３）また、請求項３に記載のように、請求項１または２に記載の往復葉書を使用する往復葉書の使用方法であって、１枚目のシートの表出面に往信のための宛先を表示し、２枚目のシートの１枚目側の表出面を複写によって発色する通信欄とし、２枚目のシートの３枚目側の表出面に返信のための宛先を表示し、１枚目のシートと、３枚目のシートを剥し、剥した３枚目のシートの発色剤面と、前記２枚目のシートの通信欄が重なるように重ね合わせ、３枚目のシートの一端を１枚目のシートの下部に形成された接着剤の端で固定し、必要事項を記入し、記入の後、３枚目のシートを２枚目のシートから剥して控として保存し、２枚目のシートの中央部で通信欄が内側になるように折り畳み、１枚目のシートの下部に形成された剥離可能で再接着可能な接着剤層によって通信欄を隠蔽して返信用の葉書とすることによって、控用紙の記入位置と通信欄の発色位置が一致し、複写されたものが読み難くなるという問題が発生しない。
４）また、請求項４に記載のように、請求項３に記載の発明において、往信のための宛先はプリンタによって表示し、返信のための宛先は印刷によって表示することによって、コストを掛けずに通信業務を行うことができる。
【発明を実施するための最良の形態】
【００１１】
以下図面を参照して、本発明の好適な一実施形態である往復葉書及びその使用方法について説明する。
図１は、本発明の往復葉書の往信面側平面図，図２は、本発明の往復葉書の返信面側平面図，図３は、本発明の往復葉書の使用方法について説明するための図，図４は、図１のＡ−Ａ線断面図の一実施形態を示す図，図５は、図４に示す１枚目のシートと、３枚目のシートを２枚目のシートから剥がしたときの図，図６は、図５で剥がした３枚目のシートを２枚目のシートに固定した状態を示す図，図７は、２枚目のシートが折り曲げられて返信葉書となった状態の断面図と、控用紙となった３枚目のシートを示す図，図８は、図１のＡ−Ａ線断面図の他の実施形態を示す図，図９は、図８に示す１枚目のシートと、３枚目のシートを２枚目のシートから剥がしたときの図，図１０は、図９で剥がした３枚目のシートを２枚目のシートに固定した状態を示す図，図１１は、２枚目のシートが折り曲げられて返信葉書にされた状態の断面図と、控用紙となった３枚目のシートを示す図，である。
【００１２】
図１，２を参照して、本発明の往復葉書の往信面側と、返信面側の構成について説明する。
本発明の往復葉書１は、図１に示す往信部と、図２に示す返信部から成り、往信部には受取人住所表示部２００がプリントによって表示されている。また、図１の例では、受取人住所表示部２００の右側にはクレジット会員に送付された購入品の代金の引落口座番号を記入する通信欄１１０が設けられている。また、往復葉書全体の中央部に往復葉書の折り曲げ部１３が形成されている。折り曲げ部には、折れやすいようにミシン目が施されたり、押し筋が形成される。
前記何れも形成されない場合は、「折り曲げ部」であることが表示される。
受取人住所表示部２００は、往復葉書の半分より大き目の幅を有する保護紙紙片（１枚目シート）が往復葉書基紙（２枚目シート）の左端の辺を同一起点にして往復葉書基紙に再接着可能な接着剤（粘着剤）で貼合されている。
通信欄１１０には、口座振替依頼に関連する記入項目が印刷されている。
その中の、会員番号は、事前に印刷されて送付される。会員番号は、この場合クレジットカードコードとは異なるコードになっており、第三者に知られてもよい番号になっている。第三者に知られては困る記入内容に関しては本人に直接記入してもらう様式になっている。
【００１３】
図２の、返信面の左側は、差出人住所表示部になっており、本実施の形態では、宛先であるクレジットカード会社の住所と部署名が印刷によって表示されている。
前記クレジットカード会社の住所と部署名はプリンタによって印字してもよいが、差出人の部分は、複数送付する報復葉書の共通部分であるために印刷で行う。
返信面の右側には、控用紙（３枚目のシート）が前記２枚目シートの右端を同一起点として貼合されている。前記控用紙の表出しない側、即ち、往復葉書基紙側には、図１に示す通信欄と同様な印刷が施された控用紙印刷部３００が形成されている。
控用紙の表出側には差出人から受取人に対する連絡事項や、広告などが印刷されていてもよい。控用紙印刷部３００が形成された控用紙は、往復葉書基紙と剥離可能で再接着不可能な接着剤で接着されている。
【００１４】
表示しないが、図１で説明した通信欄１１０の表面には発色剤と反応して発色する顕色剤が形成されている。また、図の控用紙の表出部には発色剤が形成されている。
前述の剥しとった控用紙を図１で説明した通信欄の表面に重ね合わせ、通信情報を控用紙印刷部側から記入する。通信欄の表面に形成された顕色剤は、控用紙に塗布されたカプセルから筆圧によって破壊され、滲み出した油状の発色剤と反応して、記入部が発色する。
通信欄に、控用紙を重ね合わせる際に、図１に表示した受取人住所表示部２００の下部に形成された粘着剤の端部に固定して記入する。
【００１５】
図３を参照して本発明の往復葉書の使用方法の概略について説明する。
図１，２でも示すように、往復葉書が「○○カード株式会社」から「日本太郎」に送信される。
「日本太郎」は、往復葉書を受けとって、図３の「黒矢印１」に示すように差出人住所表示面の控用紙（３枚目のシート）を基紙である２枚目のシートから剥し取る。
次に、「黒矢印２」に示すように受取人住所表示面の保護紙（１枚目のシート）を前記同様２枚目のシートから剥し取る。
次いで、「黒矢印３」に示すように、控用紙の、控用紙印刷部を上にして、右上隅を２枚目のシートに合わせるようにして通信欄に重ねる。この時に控用紙の左端は保護紙の下部に形成された粘着剤の一部に重なる。
重なった部分を軽く加圧して控用紙を粘着剤で固定して必要事項をボールぺんなどの筆記具で記入する。
記入が終わったら、控用紙を固定部から引き剥がし、通信欄の複写事項を確認し、捺印欄に捺印し、「黒矢印４」に示すように、折り曲げ部で通信欄（「複写面」）が内側になるように２つ折りし、図のように返信葉書とする。
返信葉書の片面は、前述のように差出人住所表示部となっており、もう一方の面（控用紙が貼付されていた部分）は、図示しないが、第三者に複写された内容が透けて読取られないように、例えば、地紋印刷等が施された面となっている。
【００１６】
図４を参照して、図１のＡ−Ａ線断面について説明する。
本発明の往復葉書１は、基紙１０（２枚目のシート）の両側に、保護紙２（１枚目のシート），控用紙３（３枚目シート）が、剥離剤層２１，粘着剤層１１，剥離剤層１２，接着剤層３１を介して積層されている。
保護紙２は、例えば、上質紙のような印字適性を有する紙基材である。
保護紙の裏面に形成された剥離剤層２１は、適度な接着力を有し、往復葉書が受取人に届くまで保護紙を固定する。
粘着剤層１１に形成された粘着剤は、基紙１０から保護紙２を剥離したときに保護紙を破壊しない程度の粘着力を有し、前述のように通信欄と再接着されて返信され、差出人側で通信欄に記載された情報を読むために剥離可能なアクリル系の材料が選択される。
基紙１０には、ノーカーボン紙のボトム紙が使用される。
基紙１０の返信葉書面の片面半分は差出人住所表示部１００となっており、返信先住所や宛先が印刷されている。
また、返信葉書面に形成された接着剤層３１に使用される接着剤は、例えばポりビニルアルコールを主成分とする、接着後剥離可能な接着剤が選択される。
また、剥離剤層１２は、前述の剥離剤層２１に使われる印刷インキの樹脂成分のような材料が選択的に使用される。接着剤層３１の下部には、控記入欄３００用の文字や罫線などの印刷が施されており、控用紙３が剥離されると、接着剤層３１と、控記入欄３００用の印刷インキは控用紙３に残された状態で剥離される。
控用紙３にはノーカーボンのトップ紙が使用される。
【００１７】
図５を参照して、図４に示す１枚目のシートと、３枚目のシートを２枚目のシートから剥がした状態について説明する。
保護紙２と、控用紙３を基紙１０から剥ぎ取ると、基紙１０の表面には、片面に再接着型の粘着剤層１１と、裏面に剥離剤層１２が残される。
保護紙２は、剥ぎ取られた後捨てられる。
また、控用紙３の記入面には、ボールぺんなどによる筆記には何ら障害とはならない、剥離して再接着不可能となった接着剤層３１が残される。
【００１８】
図６を参照して、図５で剥がした３枚目のシートを２枚目のシートに固定した状態について説明する。
本実施の形態では、粘着剤層１１の形成エリアが、基紙１０の中心部（折り曲げ部１３）から通信欄側にはみ出しているために、控用紙３を通信欄に重ねたときに通信欄の大きさと同一となった状態で粘着剤１１のはみ出しの一部（固定部１１１）に固定されるようになっている。
控用紙の控用紙印刷部３００にボールぺんなどで必要事項を記入すると、基紙１０の発色面に記載事項の複写情報が通信情報として形成される。
【００１９】
図７を参照して、２枚目のシートが折り曲げられて返信葉書となった状態の断面と、控用紙となった３枚目のシートについて説明する。
図６で、控用紙側に必要事項が記載され、通信欄に記載事項が複写された後、控用紙を取り去り、図に示すように基紙１０を折り曲げ部１３で情報複写面を内側にして１８０度折り曲げる。
基紙１０を折り曲げた結果、基紙の片面は、粘着剤１１で接着され返信葉書となる。
返信葉書には差出人の宛先１００が表示されておりそのまま送付される。
返信葉書を送付した側には、通信情報を記録した控用紙３が残る。
【００２０】
図８を参照して、図１のＡ−Ａ線断面の他の実施形態について説明する。
図８が図４と異なる点は、粘着剤層１１の右端が、往復葉書の折り曲げ部１３と一致するようになっていることである。この場合は、図１０に示すように控用紙を左にずらして固定部１１２で固定することによって通信欄の正しい位置に記入情報を複写することができる。
この実施形態の場合は、複写用紙に印刷する文字や罫線の位置を、重なりの分だけ右側にずらして印刷しておく。
図８に示す実施形態の特徴は、往信時に往復葉書を折り曲げ易いことである。
【００２１】
図９，図１０，図１１については、図５，図６，図７における説明内容に準拠するため、説明を省略する。
【００２２】
図４を参照して、本発明の往復葉書の各層に使用される主な材料の一例について説明する。
保護紙２には上質紙６４ｇ／ｍ2を、２枚目の基紙１０には、ノーカーボン紙のボトム紙Ｎ１３０を、また、控用紙３にはノーカーボン紙のトップ紙Ｎ４０〜６０を使用し郵便法に定められた葉書の規格を満足させる。
剥離剤層２１，１２に使用される剥離剤には、紫外線硬化型インキのメジウムを使用する。
また、その他の印刷インには、前記同様紫外線硬化型の有色インキを使用する。
粘着剤層１１に使用する粘着剤として、２ＥＨＡ（２エチルヘキシルアクリレート）等のガラス転移温度が低いアクリル樹脂をエマルジョン化したものを使用する。
接着剤層３１に使用する接着剤として、ポリビニルアルコールのエマルジョン接着剤や、これらを主成分とする接着剤に柔軟材を添加させたものを使用することができる。
また、澱粉系の接着剤を使用してもよい。
【産業上の利用可能性】
【００２３】
往復葉書をはじめとする控用紙を伴う通信媒体に使用できる。
【図面の簡単な説明】
【００２４】
【図１】本発明の往復葉書の往信面側平面図である。
【図２】本発明の往復葉書の返信面側平面図である。
【図３】本発明の往復葉書の使用方法について説明するための図である。
【図４】図１のＡ−Ａ線断面図の一実施形態を示す図である。
【図５】図４に示す１枚目のシートと、３枚目のシートを２枚目のシートから剥がしたときの図である。
【図６】図５で剥がした３枚目のシートを２枚目のシートに固定した状態を示す図である。
【図７】２枚目のシートが折り曲げられて返信葉書となった状態の断面図と、控用紙となった３枚目のシートを示す図である。
【図８】図１のＡ−Ａ線断面図の他の実施形態を示す図である。
【図９】図８に示す１枚目のシートと、３枚目のシートを２枚目のシートから剥がしたときの図である。
【図１０】図９で剥がした３枚目のシートを２枚目のシートに固定した状態を示す図である。
【図１１】２枚目のシートが折り曲げられて返信葉書となった状態の断面図と、控用紙となった３枚目のシートを示す図である。
【符号の説明】
【００２５】
１      往復葉書（２枚目のシート）
２      保護紙（１枚目のシート）
３      控用紙（３枚目のシート）
１０    基紙
１１    粘着剤層
１２    剥離剤層
１３    折り曲げ部
２１    剥離剤層
３１    接着剤層
１００  差出人住所表示部
１１０  通信欄
１１１，１１２  固定部
２００  受取人住所表示部
３００  控用紙印刷部
【図１】
2005254585.tif 000003
【図２】
2005254585.tif 000004
【図３】
2005254585.tif 000005
【図４】
2005254585.tif 000006
【図５】
2005254585.tif 000007
【図６】
2005254585.tif 000008
【図７】
2005254585.tif 000009
【図８】
2005254585.tif 000010
【図９】
2005254585.tif 000011
【図１０】
2005254585.tif 000012
【図１１】
2005254585.tif 000013